(57)【要約】【課題】光伝送路のルーティングの変更が行われる光通信システムにおいても分散補償が可能な光受信器を提供する。【解決手段】光受信器１ａは、受光回路３と、分散モニタ部５と、データ判定部７と、データ決定部９とを備える。受光回路３は、光信号１３を受けて、この光信号１３に対応した電気信号ＶＤＮを生成する。分散モニタ部５は、電気信号ＶＤＮに基づいて総分散量ＴＤを見積って該総分散量に基づいて制御信号ＶＣ１及びＶＣ２を発生する。データ判定部７は、制御信号ＶＣ１の値が反映されたしきい値で受光回路３からの信号ＶＤを判定する。データ決定部９は、制御信号ＶＣ２の値が反映されたタイミングで、データ判定部７からの信号ＶＤＣから受信データを決定する。しきい値及びタイミングは、総分散量に基づいて決定される。【選択図】　図１
2004015552.tif 000002
【特許請求の範囲】
【請求項１】
データを伝送する光信号を受けて、この光信号に対応した電気信号を生成するための受光回路と、
前記電気信号に基づいて総分散量を見積って該総分散量に基づいて制御信号を発生する分散モニタ部と、
前記制御信号の値が反映されたしきい値で前記受光回路からの信号を判定するデータ判定部と、
前記データ判定部からの信号から受信データを所定のタイミングで決定するデータ決定部と
を備える光受信器。
【請求項２】
データを伝送する光信号を受けて、この光信号の対応した電気信号を生成するための受光回路と、
前記電気信号に基づいて総分散量を見積って該総分散量から制御信号を発生する分散モニタ部と、
前記受光回路からの信号を判定するデータ判定部と、
前記制御信号の値が反映されたタイミングで、前記データ判定部からの信号から受信データを決定するデータ決定部と
を備える光受信器。
【請求項３】
前記分散モニタ部は、前記電気信号に基づいて総分散量を見積って該総分散量から別の制御信号を発生するものであり、
前記データ判定部は、前記別の制御信号の値が反映されたしきい値で前記受光回路からの信号を判定する、請求項２に記載の光受信器。
【請求項４】
前記分散モニタ部は、前記光信号の伝送レートに対応したクロック周波数成分を前記受光回路からの電気信号から抽出するための第１のフィルタ部、前記クロック周波数成分の強度が反映されたレベル信号を発生するレベル検知部、及び、該レベル信号に応答を示して前記制御信号を生成するための信号生成部を有する、請求項１〜請求項３のいずれかに記載の光受信器。
【請求項５】
前記分散モニタ部は、前記光信号の伝送レートに対応したクロック周波数成分を前記受光回路からの電気信号から抽出するための第１のフィルタ部、前記クロック周波数成分の強度が反映されたレベル信号を発生するレベル検知部、及び、該レベル信号に応答を示して前記制御信号及び前記別の制御信号を生成するための信号生成部を有する、請求項３に記載の光受信器。
【請求項６】
前記分散モニタ部は、
前記光信号の伝送レートに対応したクロック周波数成分を前記受光回路からの電気信号から抽出するための第１のフィルタ部、
前記クロック周波数成分の強度が反映されたレベル信号を発生する第１の検知部、
前記伝送レートに対応したクロック周波数成分よりも低い周波数帯域の周波数成分を通過させる第２のフィルタ部、
前記第２のフィルタ部を通過する周波数成分の強度が反映された別のレベル信号を発生する第２の検知部、及び
前記レベル信号及び前記別のレベル信号に基づいて前記制御信号を発生するための信号生成部
を有しており、
前記信号生成部は、
前記レベル信号及び前記別のレベル信号を受けて、前記入力ディジタル信号及び前記別の入力ディジタル信号を生成するＡＤ変換手段と、
前記別の入力ディジタル信号を用いて前記入力ディジタル信号を規格化して規格化信号を生成して該規格化信号に基づいて前記制御信号を提供するための提供手段と
を有する、請求項１または請求項２に記載の光受信器。
【請求項７】
前記分散モニタ部は、
前記光信号のデータ伝送レートに対応したクロック周波数信号に関連づけられた所定の周波数の成分を通過するフィルタ部と、
該フィルタ部からの盧波信号を受けて、所定の周波数よりも低い周波数成分のレベル信号を生成するミクサと、
前記レベル信号に基づいて前記制御信号を提供するための信号生成部と
を有する、請求項１または請求項２に記載の光受信器。
【請求項８】
前記分散モニタ部は、
前記光信号のデータ伝送レートに対応したクロック周波数信号に関連づけられた所定の周波数の成分を通過するフィルタ部と、
該フィルタ部からの盧波信号を受けて、所定の周波数よりも低い周波数成分のレベル信号を生成するミクサと、
前記レベル信号に基づいて前記制御信号及び前記別の制御信号を生成するための信号生成部と
を有する、請求項３に記載の光受信器。
【請求項９】
前記信号生成部は、該レベル信号からディジタル信号を発生するＡＤ変換手段と、前記制御信号のための別のディジタル信号を記憶する記憶手段と、前記ディジタル信号を受けて前記別のディジタル信号を提供するために前記記憶手段をアクセスするアクセス手段と、前記別のディジタル信号から前記制御信号を発生するためのＤＡ変換とを有する、請求項４又は請求項７に記載の光受信器。
【請求項１０】
前記信号生成部は、該レベル信号からディジタル信号を発生するＡＤ変換手段と、前記制御信号及び前記別の制御信号のための別のディジタル信号を記憶する記憶手段と、前記ディジタル信号を受けて前記別のディジタル信号を提供するために前記記憶手段をアクセスするアクセス手段と、前記別のディジタル信号から前記制御信号及び前記別の制御信号を発生するためのＤＡ変換とを有する、請求項５又は請求項８に記載の光受信器。
【請求項１１】
前記分散モニタ部は、
前記光信号の伝送レートに対応したクロック周波数成分の強度が反映された周波数レベル信号を前記受光回路からの電気信号から発生する周波数レベル検知部、
前記受光回路が受ける光信号のレベルが反映された光レベル信号を発生する光レベル検知部、
前記周波数レベル検知部からの前記周波数レベル信号と前記光レベル検知部からの前記光レベル信号から総分散量を見積もる分散見積もり部
を備える、請求項１〜請求項３のいずれかに記載の光受信器。
【請求項１２】
前記分散見積もり部は、前記周波数レベル信号を前記光レベル信号により規格化する請求項１１に記載の光受信器。
【請求項１３】
前記データ決定部は、
前記受光回路からの電気信号を受ける入力、クロック入力及び電気信号出力を有するＤ−ＦＦ回路部と、
制御信号が反映されたクロックをＤ−ＦＦ回路部のクロック入力に提供するＰＬＬ部と
を備え、
前記ＰＬＬ部は、
前記受光回路からの電気信号を受ける第１の入力、及び第２の入力を有すると共に位相比較信号を発生する位相比較器、
前記位相比較信号および前記制御信号を受ける加算回路、
前記加算回路からの信号を受ける低域フィルタ部、及び
前記低域フィルタ部からの信号に応答して動作すると共に、前記位相比較器の第２の入力に接続された第１の出力及び前記Ｄ−ＦＦ回路部のクロック入力に接続された第２の出力を有する電圧制御発振器
を含む、請求項２、請求項３、請求項５、請求項８及び請求項９のいずれかに記載の光受信器。
【請求項１４】
前記受光回路は、光信号を受ける受光素子と該受光素子からの電気信号を受けるトランスインピーダンス増幅器とを含む光フロントエンド部を備えており、
前記光フロントエンド部は、３ｄＢ帯域内において、１０Ｇｂｐｓで８０ピコ秒Ｐ−Ｐ以内、或いは、４０Ｇｂｐｓで１０ピコ秒Ｐ−Ｐ以内のいずれかの群遅延特性を示すように構成される、請求項１〜請求項３のいずれかに記載の光受信器。
【請求項１５】
前記データ判定部は、リミッタアンプを備えており、
前記リミッタアンプは、３ｄＢ帯域内において、１０Ｇｂｐｓで５０ピコ秒Ｐ−Ｐ以内、あるいは、４０Ｇｂｐｓで１５ピコ秒Ｐ−Ｐ以内のいずれかの群遅延特性を示すように構成される、請求項１〜請求項３のいずれかに記載の光受信器。
【請求項１６】
前記データ決定部からの信号を受けるデマルチプレクサを更に備える、請求項１〜請求項１５のいずれかに記載の光受信器。
【請求項１７】
請求項１６に記載の光受信器と、
マルチプレクサを有する光送信器と
を備えるトランスポンダ。
【発明の詳細な説明】
【０００１】
【発明の属する技術分野】
本発明は、光受信器およびトランスポンダに関する。
【０００２】
【従来の技術】
光通信システムは、光送信器と、光受信器と、光送信器と光受信器とを結ぶ光通信路とを備える。光通信路は、光伝送路だけでなく、光増幅器および分散補償器を含む。分散補償器は、光信号の伝送において、光伝送路に不可避的に存在する分散によって引き起こされる光信号のひずみを補償するために利用される。
【０００３】
【発明が解決しようとする課題】
発明者は、光通信システムの開発に携わっている。光通信においては、長距離伝送および高速伝送の要求がある。しかしながら、これらの要求に応じるためには、光伝送に際して生じる分散歪みを低減することが必要である。発明者は、高速および長距離の光伝送について検討を行った。この検討の結果、以下のことが明らかになった。分散補償ファイバを含む固定の分散補償器を用いて光通信システムの正確な分散補償を行う場合、分散値を適切に切り替えることが必要である。この切り替えは、コストの点で適当な方法ではない。一方、可変の分散補償器は、高価である。分散補償器を用いる場合、この分散補償器における損失を補償するために、追加の光増幅器が必要であり、また、光信号のＳＮ比の劣化を防ぐ必要もある。
【０００４】
また、予め決定されている光伝送路に光信号を伝送する光通信システムでは、光伝送路の総分散値を予め知ることができる。故に、この総分散値に基づいて、光伝送路に対して分散補償が可能になる。しかしながら、予め決定されている光伝送路と異なる光伝送路は別の総分散値を示すので、ルーティングの変更が行われると適切な分散補償値を得ることができない。
【０００５】
そこで、本発明の目的は、光伝送路のルーティングの変更が行われる光通信システムにおいても分散補償が可能な光受信器およびトランスポンダを提供することとした。
【０００６】
【課題を解決するための手段】
本発明の一側面は、光受信器に向けられる。光受信器は、受光回路と、分散モニタ部と、データ判定部と、データ決定部とを備える。受光回路は、データを伝送する光信号を受けて、この光信号に対応した電気信号を生成するように動作する。分散モニタ部は、電気信号に基づいて総分散量を見積って該総分散量に基づいて制御信号を発生する。
【０００７】
データ判定部は、制御信号の値が反映されたしきい値で受光回路からの信号を判定する。データ決定部は、データ判定部からの信号から受信データを所定のタイミングで決定する。しきい値は、受信した信号から見積もられた総分散量に基づいて決定されるので、光信号が伝搬してきた光通信路のルーティング情報を使用せずに受信データのしきい値を決定できる。
【０００８】
また、データ判定部は、受光回路からの信号を判定する。データ決定部は、制御信号の値が反映されたタイミングで、データ判定部からの信号から受信データを決定する。タイミングは、受信した信号から見積もられた総分散量に基づいて決定されるので、光信号が伝搬してきた光通信路のルーティング情報を使用せずに受信データのタイミングを決定できる。さらに、この光受信器において、分散モニタ部は、電気信号に基づいて総分散量を見積って該総分散量から別の制御信号を発生するものであることができる。データ判定部は、別の制御信号の値が反映されたしきい値で受光回路からの信号を判定する。しきい値及びタイミングは、受信した信号から見積もられた総分散量に基づいて決定されるので、光信号が伝搬してきた光通信路のルーティング情報を使用せずに受信データのしきい値及びタイミングを決定できる。
【０００９】
光受信器においては、分散モニタ部は、第１のフィルタ部、レベル検知部、及び信号生成部を有する。第１のフィルタ部は、光信号の伝送レートに対応したクロック周波数成分を受光回路からの電気信号から抽出するように動作する。レベル検知部は、クロック周波数成分の強度が反映されたレベル信号を発生するように動作する。
【００１０】
この形態において、信号生成部は、該レベル信号に応答を示して制御信号を提供するように動作する。制御信号として、しきい値信号またはタイミング信号が使用される。あるいは、信号生成部は、該レベル信号に応答を示して制御信号及び別の制御信号を提供するように動作する。制御信号として、しきい値信号及びタイミング信号の一方が使用される。別の制御信号として、しきい値信号及びタイミング信号の他方が使用される。
【００１１】
レベル信号は、伝送レートに対応したクロック周波数成分の強度から発生されるので、しきい値信号及び／又はタイミング信号を生成するために利用する信号成分を光信号に予め加える必要がない。
【００１２】
光受信器においては、分散モニタ部は、第１のフィルタ部、第１の検知部、第２のフィルタ部、第２の検知部、及び信号生成部を有する。第１のフィルタ部は、光信号の伝送レートに対応したクロック周波数成分を受光回路からの電気信号から抽出するように動作する。第１の検知部は、クロック周波数成分の強度が反映されたレベル信号を発生する。第２のフィルタ部は、伝送レートに対応したクロック周波数成分よりも低い周波数帯域の周波数成分を通過させるように動作する。第２の検知部は、第２のフィルタ部を通過する周波数成分の強度が反映された別のレベル信号を発生する。
【００１３】
この形態において、信号生成部は、レベル信号及び別のレベル信号に基づいて制御信号を発生する。あるいは、信号生成部は、レベル信号及び別のレベル信号に基づいて制御信号及び別の制御信号を発生する。
【００１４】
分散モニタ部は、クロック周波数成分と、クロック信号成分より低い周波数帯域の周波数成分とに基づいた光伝送路の情報からしきい値信号および／またはタイミング信号を決定している。
【００１５】
光受信器においては、信号生成部は、ＡＤ変換手段及び提供手段を有することができる。ＡＤ変換手段は、レベル信号及び別のレベル信号を受けて、入力ディジタル信号及び別の入力ディジタル信号を生成するように動作する。提供手段は、別の入力ディジタル信号を用いて入力ディジタル信号を規格化して規格化信号を生成して該規格化信号に基づいて制御信号を提供するように動作する。規格化信号を用いれば、より正確な総分散値を見積もることができる。
【００１６】
光受信器においては、分散モニタ部は、フィルタ部と、ミクサと、信号生成部とを備えることができる。フィルタ部は、光信号のデータ伝送レートに対応したクロック周波数信号に関連づけられた所定の周波数の成分を通過する。ミクサは、フィルタ部からの盧波信号を受けて、所定の周波数よりも低い周波数成分のレベル信号を生成する。ミクサを用いると、より低い周波数に信号を変換した後に所望の信号処理を行うことができる。この形態において、信号生成部は、レベル信号に基づいて制御信号を提供する。あるいは、信号生成部は、レベル信号に基づいて制御信号及び別の制御信号を生成する。
【００１７】
光受信器においては、信号生成部は、ＡＤ変換手段と、記憶手段と、アクセス手段と、ＤＡ変換とを有することができる。ＡＤ変換手段は、レベル信号からディジタル信号を発生する。アクセス手段は、ディジタル信号を受けて別のディジタルデータ信号を提供するために記憶手段をアクセスする。光受信器における一形態では、記憶手段は、制御信号のための別のディジタルデータを記憶する。ＤＡ変換手段は、別のディジタルデータ信号から制御信号を発生する。光受信器における別の形態では、記憶手段は、制御信号及び別の制御信号のための別のディジタル信号を記憶する。ＤＡ変換手段は、別のディジタル信号から制御信号及び別の制御信号を発生する。これらの形態によれば、制御信号及び／又は別の制御信号は、総分散値に関連づけられた格納データに基づいて決定される。
【００１８】
光受信器においては、分散モニタ部は、周波数レベル検知部、光レベル検知部、及び分散見積もり部を備えることができる。周波数レベル検知部は、光信号の伝送レートに対応したクロック周波数成分の強度が反映された周波数レベル信号を受光回路からの電気信号から発生する。光レベル検知部は、受光回路が受ける光信号のレベルが反映された光レベル信号を発生する。分散見積もり部は、周波数レベル検知部からの周波数レベル信号と光レベル検知部からの光レベル信号から総分散量を見積もる。
【００１９】
分散モニタ部は、周波数レベル信号と光レベル信号とに基づいた光伝送路の情報からしきい値信号および／またはタイミング信号を決定している。
【００２０】
この光受信器においては、分散見積もり部は、周波数レベル信号を光レベル信号により規格化するように動作する。規格化信号を用いれば、より正確な総分散値を見積もることができる。
【００２１】
この光受信器において、データ決定部は、Ｄ−ＦＦ回路部、ＰＬＬ部を含むことができる。Ｄ−ＦＦ回路部は、受光回路からの電気信号を受ける入力、クロック入力及び電気信号出力を有する。ＰＬＬ部は、タイミング信号が反映されたクロックをＤ−ＦＦ回路部のクロック入力に提供する。ＰＬＬ部を用いて、タイミングの調整を行うことができる。
【００２２】
ＰＬＬ部は、位相比較器、加算回路、低域フィルタ部、及び電圧制御発振器を含むことができる。位相比較器は、受光回路からの電気信号を受ける第１の入力及び第２の入力を有すると共に位相比較信号を発生する。加算回路は、位相比較信号および制御信号を受ける。低域フィルタ部は、加算回路からの信号を受ける。電圧制御発振器は、低域フィルタ部からの信号に応答して動作すると共に、位相比較器の第２の入力に接続された第１の出力及びＤ−ＦＦ回路部のクロック入力に接続された第２の出力を有する。
【００２３】
加算回路により、位相比較信号に示されるクロック位相に対して制御信号に示される変化を加えることができる。この変化により、タイミングの調整を行うことができる。
【００２４】
光受信器においては、データ決定部からの信号を受けるデマルチプレクサを更に備えることができる。多重化された光信号を受信した後に、相対的に低速の伝送路へのインタフェイスを提供できる。
【００２５】
本発明の別の側面は、トランスポンダに向いている。トランスポンダは、光受信器と、マルチプレクサを有する光送信器とを備える。
【００２６】
本発明の上記の目的および他の目的、特徴、並びに利点は、添付図面を参照して進められる本発明の好適な実施の形態の以下の詳細な記述から、より容易に明らかになる。
【００２７】
【発明の実施の形態】
本発明の知見は、例示として示された添付図面を参照して以下の詳細な記述を考慮することによって容易に理解できる。引き続いて、添付図面を参照しながら、本発明の光受信器に係わる実施の形態を説明する。可能な場合には、同一の部分には同一の符号を付する。
【００２８】
（第１の実施の形態）
図１は、本発明の実施の形態に係わる光受信器を示すブロック図である。光受信器１ａは、受光回路３と、分散モニタ部５と、データ判定部７と、データ決定部９とを備える。
【００２９】
受光回路３は、光ファイバといった光伝送路１１から光信号１３を受けて、この光信号１３に対応した正相電気信号ＶＤを出力３ａに生成すると共に逆相電気信号ＶＤＮを出力３ｂに生成するように動作する。光信号１３は伝送されるべきデータ１３ａを含む。受光回路３は、フォトダイオードといった半導体受光素子１５と、トランスインピーダンス増幅器といった電流−電圧（Ｉ−Ｖ）変換器１７と、ＡＧＣアンプといった増幅器１９とを有する。半導体受光素子１５は、光信号１３を受けて光電流ＩＬを生成する。半導体受光素子１５は、アノード１５ａ及びカソード１５ｂを有する。半導体受光素子１５の一方の端子（カソード１５ｂ）は、電源線２１に接続されている。Ｉ−Ｖ変換器１７は、入力１７ａ、出力１７ｂ、増幅部１７ｃ及び帰還抵抗部１７ｄを備える。帰還抵抗部１７ｄは、増幅部１７ｃの入力と出力とを接続している。増幅部１７ｃの入力は、入力１７ａに接続されている。増幅部１７ｃの出力は、出力１７ｂに接続されている。Ｉ−Ｖ変換器１７の入力１７ａは、アノード１５ａに接続されている。Ｉ−Ｖ変換器１７は、入力１７ａにおいて光電流ＩＬを受けると共に、光電流ＩＬに応答して電圧信号ＶＬを発生する。増幅器１９は、入力１９ａ、正相出力１９ｂ及び逆相（相補）出力１９ｃを備える。増幅器１９は、入力１９ａに受けた電圧信号ＶＬを増幅して、正相増幅信号ＶＤを正相出力１９ｂに生成すると共に、逆相増幅信号ＶＤＮを逆相出力１９ｃに生成する。
【００３０】
分散モニタ部５は、入力５ａ及び第１の出力５ｂを備える。分散モニタ部５は、電気信号ＶＤＮに基づいて総分散量ＴＤを見積って、この総分散量ＴＤに基づいて制御信号ＶＣ１を発生する。制御信号ＶＣ１は、第１の出力５ｂに提供される。データ判定部７は、受光回路３からの信号ＶＤを受けるデータ入力７ａ、制御信号ＶＣ１を受ける制御入力７ｂ、及び出力７ｃを備える。データ入力７ａは、受光回路３からの信号ＶＤを受ける。制御入力７ｂは、制御信号ＶＣ１を受ける。データ判定部７は、制御信号ＶＣ１を受けて制御信号ＶＣ１の値が反映されたしきい値ＶＴＨを示す信号を生成する。データ判定部７は、また、このしきい値ＶＴＨで受光回路３からの信号ＶＤを判定して、判定された信号ＶＤＣを生成する。詳述すれば、データ判定部７は、しきい値信号生成部７ｄと、リミッタアンプといった増幅器７ｅとを備える。しきい値信号生成部７ｄは、制御信号ＶＣ１を受けて制御信号ＶＣ１の値が反映されたしきい値ＶＴＨを示す信号を生成する。増幅器７ｅは、このしきい値ＶＴＨを基準にして信号ＶＤを判定して、判定された信号ＶＤＣを生成する。データ決定部９は、また、データ判定部７からの信号ＶＤＣを所定のタイミングで処理して受信データ信号ＶＲＧを再生する。データ決定部９は、信号ＶＤＣを受けるデータ入力９ａ及び受信データ信号ＶＲＧを提供する出力９ｂを備える。
【００３１】
しきい値ＶＴＨは、受信した信号ＶＤＮから見積もられた総分散量に基づいて決定されるので、光信号１３が伝搬してきた光通信路１１のルーティング情報を使用せずに受信データ１３ａのためのしきい値ＶＴＨを決定できる。
【００３２】
或いは、分散モニタ部５は、入力５ａと、第１の出力５ｂに替えて第２の出力５ｃとを備える。分散モニタ部５は、電気信号ＶＤＮに基づいて総分散量ＴＤを見積って、この総分散量ＴＤに基づいて制御信号ＶＣ２を発生する。制御信号ＶＣ２は、第２の出力５ｃに提供される。データ判定部７は、受光回路３からの信号ＶＤを受けるデータ入力７ａ、及び出力７ｃを備える。データ入力７ａは、受光回路３からの信号ＶＤを受ける。データ判定部７は、受光回路３からの信号ＶＤを判定する。データ決定部９は、制御信号ＶＣ２の値が反映されたタイミングＴＭで、データ判定部７からの信号ＶＤＣから受信データ信号ＶＲＧを再生する。データ決定部９は、信号ＶＤＣを受けるデータ入力９ａ、受信データ信号ＶＲＧを提供する出力９ｂ、及び制御信号ＶＣ２を受ける制御入力９ｃを備える。タイミングＴＭは、光信号が伝搬してきた光通信路のルーティング情報を使用せずに、受信した信号から見積もられた総分散量に基づいて決定される。
【００３３】
データ決定部９は、Ｄ−ＦＦ回路部２３、ＰＬＬ部２５を含む。Ｄ−ＦＦ回路部２３は、受光回路３からの電気信号ＶＤＣを受ける入力２３ａ、クロック入力２３ｂ及び電気信号出力２３ｃを有する。ＰＬＬ部２５は、受光回路からの電気信号ＶＤＣを受ける入力２５ａ、制御信号ＶＣ２を受けるクロック入力２５ｂ、及びタイミング信号ＶＣ２が反映されたクロックＶＣＬを提供する出力２５ｃを有する。ＰＬＬ部２５は、タイミング信号ＶＣ２が反映されたクロックＶＣＬをＤ−ＦＦ回路部２３のクロック入力２３ｂに提供する。光受信器１ａは、ＰＬＬ部２５を用いて、タイミングＴＭの調整を行うことができる。
【００３４】
ＰＬＬ部２５は、位相比較器２７、低域フィルタ部２９、加算回路３１、及び電圧制御発振器３３を含む。位相比較器２７は、受光回路３からの電気信号ＶＤＣを受ける第１の入力２７ａ、帰還信号ＶＦＢを受ける第２の入力２７ｂ、及び位相比較信号ＶＣＯＭＰを提供する出力２７ｃを有する。加算回路２９は、基本クロックＶＣＬ０に対応する位相比較信号ＶＣＯＭＰの値にタイミング信号ＶＣ２を示す値を加えて加算信号ＶＡＤＤを生成する。加算回路２９は、位相比較信号ＶＣＯＭＰを受ける入力２９ａ、制御信号ＶＣ２を受ける入力２９ｂ、及び加算信号ＶＡＤＤを提供する出力２９ｃを備える。低域フィルタ部３１は、また、加算信号ＶＡＤＤを所定の時定数で積分して参照信号ＶＲを生成する。低域フィルタ部３１は、加算信号ＶＡＤＤを受ける入力３１ａ及び参照信号ＶＲを提供する出力３１ｂを備える。電圧制御発振器３３は、加算回路３１からの加算信号ＶＡＤＤに応答して調整されたクロック信号ＶＣＬを生成する。電圧制御発振器３３は、また、加算信号ＶＡＤＤを受ける入力３３ａ、位相比較器２７の第２の入力２７ｂに接続された第１の出力３３ｂ、及びＤ−ＦＦ回路部２３のクロック入力２３ｂに接続された出力３３ｃを有する。加算回路３１を用いることにより、位相比較信号ＶＣＯＭＰに示されるクロック位相に対してタイミング信号ＶＣ２により示される変化を加えることができる。この変化により、タイミングＴＭの調整を行うことができる。
【００３５】
さらに、この光受信器１ａにおいて、分散モニタ部５は、電気信号に基づいて総分散量を見積って該総分散量から制御信号ＶＣ１及びＶＣ２を発生するようにしてもよい。しきい値ＶＴＨ及びタイミングＴＭは、総分散量ＴＤに基づいて決定されるので、光信号が伝搬してきた光通信路のルーティング情報を使用せずに決定される。
【００３６】
光受信器１ａにおいては、受光回路３は、半導体受光素子１５とＩ−Ｖ変換器１７とを含む光フロントエンド部を備える。光フロントエンド部は、３ｄＢ帯域内において、１０Ｇｂｐｓで８０ピコ秒Ｐ−Ｐ以内の群遅延特性を示すように構成されることが好ましい。あるいは、光フロントエンド部は、３ｄＢ帯域内において、４０Ｇｂｐｓで１０ピコ秒Ｐ−Ｐ以内のいずれかの群遅延特性を示すように構成されることが好ましい。これらの特性を示す光フロントエンド部では信号の歪み量が小さい。故に、この歪みによって、信号に含まれる分散情報が失われることがない。
【００３７】
光受信器においては、データ判定部７は、リミッタアンプを備えることができる。リミッタアンプは、３ｄＢ帯域内において、１０Ｇｂｐｓで５０ピコ秒Ｐ−Ｐ以内の群遅延特性を示すように構成されている。あるいは、リミッタアンプは、３ｄＢ帯域内において、４０Ｇｂｐｓで１５ピコ秒Ｐ−Ｐ以内の群遅延特性を示すように構成されている。リミッタアンプで生じる歪みは補償できないので、リミッタアンプは信号の歪み量が小さくするために上記特性を示すことが好ましい。
【００３８】
引き続いて、分散モニタ部５を詳細に説明する。分散モニタ部５は、入力５ａ並びに第１及び第２の出力５ｂ、５ｃを備える。分散モニタ部５は、電気信号ＶＤＮに基づいて総分散量ＴＤを見積って、この総分散量ＴＤに基づいて制御信号ＶＣ１及びＶＣ２を発生する。
【００３９】
分散モニタ部５は、バンドパスフィルタを含む第１のフィルタ部３５、レベルディテクタといったレベル検知部３７、及び信号生成部３９を備える。
【００４０】
第１のフィルタ部３５は、光信号１３の伝送レートＢに対応したクロック周波数成分ｆＣＬを受光回路３からの電気信号ＶＤＮから抽出するように動作する。第１のフィルタ部３５は、電気信号ＶＤＮを受ける入力３５ａ及び盧波信号ＶＲ１を提供する出力３５ｂを有する。レベル検知部３７は、クロック周波数成分ｆＣＬの強度が反映されたレベル信号ＶＬＥＶ１を発生する。レベル検知部３７は、盧波信号ＶＲ１を受ける入力３７ａ及びＶＬＥＶ１を提供する出力３５ｂを有する。レベル信号ＶＬＥＶ１には、総分散値に関する情報が含まれている。
【００４１】
信号生成部３９は、レベル信号ＶＬＥＶ１に応答を示して制御信号ＶＣ１を生成するように動作する。信号生成部３９は、レベル信号ＶＬＥＶ１を受ける入力３９ａ及び制御信号ＶＣ１を提供する出力３９ｂを有する。信号生成部３９は、しきい値のための制御信号を生成できる。
【００４２】
図２（ａ）〜図２（ｃ）は、第１のフィルタ部の入力における入力信号スペクトルを示す図面である。図２（ａ）〜図２（ｃ）は、様々な分散を有する信号スペクトルを示している。図２（ｄ）は、図２（ａ）〜図２（ｃ）の入力スペクトルに対する第１のフィルタ部の出力における応答スペクトルを示す図面である。入力信号スペクトルは、クロック周波数成分ｆＣＬの位置にピークを持ち、このピーク値は総分散値に関連している。バンドパスフィルタを用いてピーク値の周波数成分を抽出すれば、総分散値に関する情報を含む信号が得られる。
【００４３】
また、信号生成部３９は、以下のように動作するための構成を備えることができる。信号生成部３９は、レベル信号ＶＬＥＶ１に応答を示して制御信号ＶＣ２を生成するように動作する。信号生成部３９は、レベル信号ＶＬＥＶ１を受ける入力３９ａ及び制御信号ＶＣ２を提供する出力３９ｃを有する。信号生成部３９は、タイミングのための制御信号を生成できる。
【００４４】
これらの構成から理解されるように、信号生成部３９は、レベル信号ＶＬＥＶ１に応答を示して制御信号ＶＣ１及びＶＣ２を生成するように動作できる。
【００４５】
さらに、分散モニタ部５は、バンドパスフィルタを含む第２のフィルタ部４７、及びレベルディテクタといった第２のレベル検知部４９を更に備える。第２のフィルタ部４７は、光信号１３の伝送レートＢに対応したクロック周波数成分ｆＣＬをより低い周波数成分を受光回路３からの電気信号ＶＤＮから抽出するように動作する。第２のフィルタ部４７は、電気信号ＶＤＮを受ける入力４７ａ及び盧波信号ＶＲ２を提供する出力４７ｂを有する。レベル検知部４９は、クロック周波数成分ｆＣＬをより低い周波数成分の強度が反映されたレベル信号ＶＬＥＶ２を発生する。レベル検知部４９は、盧波信号ＶＲ２を受ける入力４９ａ及びＶＬＥＶ２を提供する出力４９ｂを有する。レベル信号ＶＬＥＶ２には、クロック周波数成分ｆＣＬをより低い周波数領域における分散値に関する情報が含まれている。
【００４６】
信号生成部は、レベル信号ＶＬＥＶ２を用いてレベル信号ＶＬＥＶ１を規格化して規格化信号を生成して、該規格化信号に基づいて制御信号ＶＣ１及び／又はＶＣ２を提供するように動作する。規格化信号を用いれば、より正確な総分散値を見積もることができる。
【００４７】
引き続いて、信号生成部３９の構成を詳細に説明する。本実施の形態では、信号生成部３９は、ＡＤ変換手段４１、信号処理部４３、及びＤＡ変換手段４５を備える。ＡＤ変換手段４１は、レベル信号ＶＬＥＶ１（アナログ値）をレベル信号ＤＬＥＶ１（ディジタル値）に変換するＡＤ変換器５１を有する。ＡＤ変換器５１は、レベル信号ＶＬＥＶ１を受ける入力５１ａおよびレベル信号ＤＬＥＶ１を提供する出力５１ｂを備える。
【００４８】
図３（ａ）は、信号処理部４３の構成例を示す図面である。図３（ａ）を参照すると、信号処理部４３は、記憶手段４３ａと、アクセス手段４３ｂとを有する。図３（ｂ）は、記憶手段の構成を示す図面である。記憶手段４３ａは、いくつかの記憶要素５３ａ〜５３ｆを含む。記憶要素５３ａ〜５３ｆは、レベル信号ＤＬＥＶ１に関連づけるように、しきい値ＶＴＨに対応した値ＤＴＨ１〜ＤＴＨ６を格納している。記憶要素５３ａ〜５３ｆは、アドレス手段５３ｇによってレベル信号ＤＬＥＶ１に関連づけられている。アクセス手段４３ｂは、レベル信号ＤＬＥＶ１を受けて、ディジタル値ＤＴＨを提供するために記憶手段４３ａをアクセスする。アクセス手段４３ｂは、ディジタル値ＤＴＨをＤＡ変換手段４５に提供する。つまり、信号生成部３９は、レベル信号ＶＬＥＶ１に応答を示して制御信号ＶＣ１を生成するように動作する。
【００４９】
ＤＡ変換手段４５は、ディジタル値ＤＴＨ（ディジタル値）を制御信号ＶＣ１（アナログ値）に変換するＤＡ変換器５５を有する。ＤＡ変換器５５は、ディジタル値ＤＴＨを受ける入力５５ａおよび制御信号ＶＣ１を提供する出力５５ｂを備える。
【００５０】
また、信号処理部４３が、規格化手段４３ｃを更に有することができる。規格化手段４３ｃは、レベル信号ＶＬＥＶ２に対応するレベル信号ＤＬＥＶ２を用いてレベル信号ＤＬＥＶ１を規格化する。アクセス手段４３ｂは、規格化値ＤＬＥＶＮに受けて、記憶手段４３ａをアクセスする。記憶手段４３ａは、規格化値ＤＬＥＶＮに対応する規格化応答値ＤＴＨＮを格納している。この規格化は、ディジタル処理を用いて実現できる。ＡＤ変換器５２は、入力３９ｄを介してレベル信号ＶＬＥＶ２を入力５２ａに受けて、レベル信号ＤＬＥＶ２を出力５２ｂに提供する。
【００５１】
図４（ａ）は、信号処理部４３の別の構成例を示す図面である。図４（ａ）を参照すると、信号処理部４３は、記憶手段４３ｄと、アクセス手段４３ｅと、規格化手段４３ｆとを有することができる。図４（ｂ）は、記憶手段の構成を示す図面である。記憶手段４３ｄは、いくつかの記憶要素５７ａ〜５７ｆを含む。記憶要素５７ａ〜５７ｆは、レベル信号ＤＬＥＶ１に関連づけるように、制御信号ＶＣ２に対応した値ＤＴＩＭ１〜ＤＴＩＭ６を格納している。記憶要素５７ａ〜５７ｆは、アドレス手段５７ｇによって各レベル信号ＤＬＥＶ１に関連づけられている。アクセス手段４３ｅは、レベル信号ＤＬＥＶ１を受けて、ディジタル値ＤＴＩＭを提供するために記憶手段４３ｄをアクセスする。アクセス手段４３ｅは、ディジタル値ＤＴＩＭをＤＡ変換手段５９に提供する。ＤＡ変換手段４５は、値ＤＴＩＭ（ディジタル値）を制御信号ＶＣ１（アナログ値）に変換するＤＡ変換器５９を有する。ＤＡ変換器５９は、ディジタル値ＤＴＩＭを受ける入力５９ａおよび制御信号ＶＣ２を提供する出力５９ｂを備える。つまり、信号生成部３９は、レベル信号ＶＬＥＶ１に応答を示して制御信号ＶＣ２を生成するように動作する。また、信号処理部４３が、図３（ａ）に示された構成例と同様に規格化手段４３ｆを更に有することができる。記憶手段４３ｄは、規格化値ＤＬＥＶＮに対応する規格化応答値ＤＴＨＮを格納している。
【００５２】
図５（ａ）は、信号処理部４３の別の構成例を示す図面である。図５（ａ）を参照すると、信号処理部４３は、記憶手段４３ｇと、アクセス手段４３ｈと、規格化手段４３ｉとを有することができる。図５（ｂ）は、記憶手段の構成を示す図面である。記憶手段４３ｇは、いくつかの記憶要素６１ａ〜６１ｆを含む。記憶要素６１ａ〜６１ｃは、レベル信号ＤＬＥＶ１に関連づけるように、しきい値ＶＴＨに対応した値ＤＴＨ１〜ＤＴＨ３を格納している。記憶要素６１ｄ〜６１ｆは、レベル信号ＤＬＥＶ１に関連づけるように、制御信号ＶＣ２に対応した値ＤＴＩＭ１〜ＤＴＩＭ３を格納している。記憶要素６１ａ〜６１ｆは、アドレス手段５７ｇによって各レベル信号ＤＬＥＶ１に関連づけられている。アクセス手段４３ｈは、レベル信号ＤＬＥＶ１を受けて、ディジタル値ＤＴＨ及びＤＴＩＭを提供するために記憶手段４３ｈをアクセスする。アクセス手段４３ｈは、ディジタル値ＤＴＨ及びＤＴＩＭをＤＡ変換手段５９に提供する。ＤＡ変換手段４５は、ディジタル値ＤＴＨ及びＤＴＩＭを制御信号ＶＣ１及びＶＣ２（アナログ値）に変換するＤＡ変換器５５及び５９を有する。つまり、信号生成部３９は、レベル信号ＶＬＥＶ１に応答を示して制御信号ＶＣ１及びＶＣ２を生成するように動作する。また、信号処理部４３が、図３（ａ）に示された構成例と同様に規格化手段４３ｆを更に有することができる。記憶手段４３ｇは、規格化値ＤＬＥＶＮに対応する規格化応答値ＤＴＨＮ及びＤＴＩＭＮを格納している。
【００５３】
これらの記憶手段の内容は、具体的には変換テーブルとしてメモリ内に格納される。図６は、変換テーブルに含まれるしきい値（スライスレベル）と伝送距離との関係を示すグラフである。このグラフは、実験により求めることができる。このグラフに基づいて、変換テーブルの内容が決定される。また、実験により、タイミングと伝送距離との関係を示すタイミング特性を得ることができる。
【００５４】
図７（ａ）〜図７（ｃ）は、発明者が行った数値実験の結果を示す図面である。図７（ａ）〜図７（ｃ）は、それぞれ、正チャープ、ゼロチャープ及び負チャープを有する光送信器からの光信号の伝送特性を示すグラフである。図７（ａ）〜図７（ｃ）において、特性曲線Ｃ１〜Ｃ７は、それぞれ、伝送距離１０、２０、４０、６０、８０、１００、１２０キロメートルに対する伝送特性を示している。図７（ａ）〜図７（ｃ）は、光信号の伝送特性が、光伝送路の特性だけでなく、光送信器の特性にも影響されることを示している。記憶手段は、送信器の形式に対応づけられたいくつかの変換テーブルといったデータ群を含むことができる。データ群を例示的に示せば、ゼロチャープ特性を示す光送信器のためのデータ群、負チャープ特性を示す光送信器のためのデータ群、及び正チャープ特性を示す光送信器のためのデータ群がある。チャープ特性毎に対応付けてデータ群を格納すれば、受信品質の向上のために、光伝送路だけでなく光送信器の特性も考慮に入れることができる。図８（ａ）は、光送信器の特性に応じたいくつかの記憶要素群６２ａ〜６２ｃを有する記憶手段を示す図面である。記憶手段４３は、記憶要素群６２ａ〜６２ｃに加えて、いずれの記憶要素群を使用するかを示すデータＭを記憶する記憶要素６２ｄを有する。各記憶要素群は、図３（ｂ）、図４（ｂ）及び図５（ｂ）に示されるような記憶要素を備えている。図８（ｂ）に示すように、信号処理部４３は、例えばＣＰＵ及びメモリといった電子デバイスから構成できる。
【００５５】
（第２の実施の形態）
図９は、別の実施の形態に係わる光受信器を示すブロック図である。光受信器１ｂは、受光回路３と、分散モニタ部６と、データ判定部７と、データ決定部９とを備える。受光回路３、データ判定部７及びデータ決定部９は、第１の実施の形態と同じ構成を有することができるが、これにと限定されない。
【００５６】
分散モニタ部６は、入力６ａ及び第１の出力６ｂを備える。分散モニタ部６は、電気信号ＶＤＮに基づいて総分散量ＴＤを見積って、この総分散量ＴＤに基づいて制御信号ＶＣ１を発生する。制御信号ＶＣ１は、第１の出力６ｂに提供される。データ判定部７におけるしきい値ＶＴＨは、受信した信号ＶＤＮから見積もられた総分散量ＴＤに基づいて決定されるので、光信号１３が伝搬してきた光通信路１１のルーティング情報を使用せずに受信データ１３ａのためのしきい値ＶＴＨを決定できる。
【００５７】
或いは、分散モニタ部６は、入力６ａと、第１の出力６ｂに替えて第２の出力６ｃとを備える。分散モニタ部６は、電気信号ＶＤＮに基づいて総分散量ＴＤを見積って、この総分散量ＴＤに基づいて制御信号ＶＣ２を発生する。制御信号ＶＣ２は、第２の出力６ｃに提供される。データ判定部７におけるタイミングＴＭは、光信号が伝搬してきた光通信路のルーティング情報を使用せずに、受信した信号から見積もられた総分散量ＴＤに基づいて決定される。
【００５８】
または、分散モニタ部６は、入力６ａ並びに第１及び第２の出力６ｂ、６ｃを備える。分散モニタ部６は、電気信号ＶＤＮに基づいて総分散量ＴＤを見積って、この総分散量ＴＤに基づいて制御信号ＶＣ１及びＶＣ２を発生できる。
【００５９】
引き続いて、分散モニタ部６を詳細に説明する。分散モニタ部６は、周波数レベル検知部６２及び信号生成部３９を備える。周波数レベル検知部６２は、バンドパスフィルタを含むフィルタ部６３、電圧制御発振器６５、ミクサ６７、フィルタ部６９、及びレベルディテクタといったレベル検知部７１を備える。周波数レベル検知部６２は、光信号１３の伝送レートＢに対応したクロック周波数成分ｆＣＬの強度が反映された周波数レベル信号ＶＬＥＶ３を発生する。
【００６０】
フィルタ部６３は、受光回路３からの電気信号ＶＤＮからクロック周波数成分ｆＣＬを抽出するように動作する。フィルタ部６３は、電気信号ＶＤＮを受ける入力６３ａ及び盧波信号ＶＲ３を提供する出力６３ｂを有する。電圧制御発振器６７は、ミクサ６７のための中間周波数ｆＭＩＤの信号ＶＭＩＤを生成して、出力６７に提供する。発振周波数は、例えば、伝送レートＢの半分に対応する周波数である。ミクサ６７は、中間周波数信号ＶＭＩＤと盧波信号ＶＲ３とから、差周波数（ｆＣＬ−ｆＭＩＤ）の差信号Ｖ−及び和周波数（ｆＣＬ＋ｆＭＩＤ）の和信号Ｖ＋を含むミクサ信号ＶＭＩＸを生成する。ミクサ６７は、盧波信号ＶＲ３を受ける第１の入力６７ａと、中間周波数信号ＶＭＩＤを受ける第２の入力６７ｂと、ミクサ信号ＶＭＩＸを提供する出力６７ｃとを有する。ミクサ６７を用いると、周波数を変換した後には、相対的に低い周波数に対応した回路を採用できる。フィルタ部６９は、差信号Ｖ−及び和信号Ｖ＋を含むミクサ信号ＶＭＩＸから差信号Ｖ−を抽出するように動作する。フィルタ部６９は、ミクサ信号ＶＭＩＸを受ける入力６９ａ及び盧波信号ＶＲ４を提供する出力６９ｂを有する。レベル検知部７１は、クロック周波数成分ｆＣＬの強度が反映されたレベル信号ＶＬＥＶ３を発生する。レベル検知部７１は、盧波信号ＶＲ４を受ける入力７１ａ及びＶＬＥＶ４を提供する出力７１ｂを有する。レベル信号ＶＬＥＶ３には、総分散値に関する情報が含まれている。
【００６１】
信号生成部３９は、レベル信号ＶＬＥＶ３に応答を示して制御信号ＶＣ１を生成するように動作する。信号生成部３９は、レベル信号ＶＬＥＶ３を受ける入力３９ａ及び制御信号ＶＣ１を提供する出力３９ｂを有する。信号生成部３９は、しきい値のための制御信号を生成できる。
【００６２】
また、信号生成部３９は、第１に実施の形態と同様に、以下のように動作するための構成を備えることができる。信号生成部３９は、レベル信号ＶＬＥＶ３に応答を示して制御信号ＶＣ２を生成するように動作する。信号生成部３９は、レベル信号ＶＬＥＶ３を受ける入力３９ａ及び制御信号ＶＣ２を提供する出力３９ｃを有する。信号生成部３９は、タイミングのための制御信号を生成できる。
【００６３】
これらの構成から理解されるように、信号生成部３９は、第１に実施の形態と同様に、レベル信号ＶＬＥＶ３に応答を示して制御信号ＶＣ１及びＶＣ２を生成するように動作できる。
【００６４】
光受信器１ｂは、光入力レベルモニタといった光レベル検知部７３を備える。光レベル検知部７３は、受信回路３と電源線２１との間に位置している。光入力レベルモニタ７３は、受信回路３が光伝送路１１から受ける光信号の全エネルギレベルを示すレベル信号ＶＬＥＶ４を生成する。レベル信号ＶＬＥＶ４は、出力７３ａに提供されており、信号生成部３９の入力６ｄに加えられる。信号生成部３９は、周波数レベル検知部６２からの周波数レベル信号ＶＬＥＶ３と光レベル検知部７３からの光レベル信号ＶＬＥＶ４から総分散量を見積もる。例えば、信号生成部３９は、レベル信号ＶＬＥＶ４を用いてレベル信号ＶＬＥＶ３を規格化して規格化信号を生成して、該規格化信号に基づいて制御信号ＶＣ１及び／又はＶＣ２を提供するように動作する。規格化信号を用いれば、より正確な総分散値を見積もることができる。
【００６５】
第２の実施の形態においても、信号生成部３９は、図３（ａ）、図３（ｂ）、図４（ａ）、図４（ｂ）、図５（ａ）、図５（ｂ）、図８（ａ）に示される構成を備えることができる。
【００６６】
（第３の実施の形態）
図１０は、更に別の実施の形態に係わる光受信器を示すブロック図である。光受信器１ｃは、受光回路３と、分散モニタ部５と、データ判定部７と、データ決定部９と、デマルチプレクサ１０とを備える。受光回路３、分散モニタ部５と、データ判定部７及びデータ決定部９は、第１の実施の形態と同じ構成を有することができるが、これにと限定されない。光受信器においては、デマルチプレクサ１０は、データ決定部９からの信号を受ける。多重化された光信号１３を受信した後に、デマルチプレクサ１０は、相対的に低速の伝送路へのインタフェイスを提供できる。
【００６７】
（第４の実施の形態）
図１１は、また更に別の実施の形態に係わるトランスポンダを示すブロック図である。トランスポンダ７５は、光受信器１ｃ及び光送信器７７を備える。光送信器７７は、受けた電気信号のデータを含む光信号１４を生成するものであり、マルチプレクサ７９を有する。マルチプレクサ７９は、多重化された光信号を生成するために相対的に低速の伝送路からの信号を多重化して、多重化されたデータシーケンスを提供する。マルチプレクサ７９は、相対的に高速の光伝送路１２へのインタフェイスを提供できる。
【００６８】
以上説明したように、本実施の形態に係わる光受信器では、光信号のルーティングの変更が行われる光通信システムに使用できるだけでなく、波長成分毎に分散補償を行うことに対する要求がある波長多重化（ＷＤＭ）通信にも使用できる。つまり、本実施の形態に係わる光受信器は、使用される信号波長成分毎に総分散量が異なる光通信システムに使用できる。
【００６９】
好適な実施の形態において本発明の原理を図示し説明してきたが、本発明は、そのような原理から逸脱することなく配置および詳細において変更され得ることができることは、当業者によって認識される。本発明は、本実施の形態に開示された特定の構成に限定されるものではない。例えば、信号ＶＬＥＶ１及び信号ＶＬＥＶ４から制御信号ＶＣ１及び／又はＶＣ２を生成することができる。信号ＶＬＥＶ２及び信号ＶＬＥＶ３から制御信号ＶＣ１及び／又はＶＣ２を生成することができる。したがって、特許請求の範囲およびその精神の範囲から来る全ての修正および変更に権利を請求する。
【００７０】
【発明の効果】
以上説明したように、本発明によれば、光伝送路のルーティングの変更が行われる光通信システムにおいても分散補償が可能な光受信器及びトランスポンダが提供された。
【図面の簡単な説明】
【図１】図１は、本発明の実施の形態に係わる光受信器を示すブロック図である。
【図２】図２（ａ）は、第１のフィルタ部の入力における信号スペクトルを示す図面である。図２（ｂ）は、第１のフィルタ部の出力における信号スペクトルを示す図面である。図２（ｃ）は、様々な分散を有する信号スペクトルを示す図面である。図２（ｄ）は、信号処理部の構成を示すブロック図である。
【図３】図３（ａ）は、信号処理部の構成例を示す図面である。図３（ｂ）は、記憶手段の構成を示す図面である。
【図４】図４（ａ）は、信号処理部の別の構成例を示す図面である。図４（ｂ）は、記憶手段の別の構成を示す図面である。
【図５】図５（ａ）は、信号処理部の更に別の構成例を示す図面である。図５（ｂ）は、記憶手段の更に別の構成を示す図面である。
【図６】図６は、変換テーブルに含まれるスライスレベルと伝送距離との関係を示すグラフである。
【図７】図７（ａ）〜図７（ｃ）は、発明者が行った数値実験の結果を示す図面である。
【図８】図８（ａ）は、光送信器の特性に応じたいくつかの記憶要素群を有する記憶手段を示す図面である。図８（ｂ）は、ＣＰＵ及び／メモリといったデバイスから構成される信号処理部を示す図面である。
【図９】図９は、別の実施の形態に係わる光受信器を示すブロック図である。
【図１０】図１０は、更に別の実施の形態に係わる光受信器を示すブロック図である。
【図１１】図１１は、また更に別の実施の形態に係わるトランスポンダを示すブロック図である。
【符号の説明】
１、１ａ、１ｂ、１ｃ…光受信器、３…受光回路、５、６…分散モニタ部、７…データ判定部、９…データ決定部、１０…デマルチプレクサ、１１…光伝送路、１３…光信号、１５…半導体受光素子、１７…Ｉ−Ｖ変換器、１９…増幅器、２１…電源線、２３…Ｄ−ＦＦ回路部、２５…ＰＬＬ部、２７…位相比較器、２９…低域フィルタ部、３１…加算回路、３３…電圧制御発振器、３５…第１のフィルタ部、３７…レベル検知部、３９…信号生成部、４１…ＡＤ変換手段、４３…信号処理部、４５…ＤＡ変換手段、５３ａ〜５３ｆ…記憶要素、５７ａ〜５７ｆ…記憶要素、６１ａ〜５７ｉ…記憶要素、７５…トランスポンダ、７７…光送信器
【図１】
2004015552.tif 000003
【図２】
2004015552.tif 000004
【図３】
2004015552.tif 000005
【図４】
2004015552.tif 000006
【図５】
2004015552.tif 000007
【図６】
2004015552.tif 000008
【図７】
2004015552.tif 000009
【図８】
2004015552.tif 000010
【図９】
2004015552.tif 000011
【図１０】
2004015552.tif 000012
【図１１】
2004015552.tif 000013